(57)【要約】【課題】ねじ孔に水が浸入するのを防止して腐食を解消し、また固定ねじを螺入する際に、ドライバで傷付けることがないレバーハンドルを提供する。【解決手段】ハンドル本体１の基部３に穿設された取付穴４にハンドル軸２の端部５を装入して結合部分６に両部に亘って皿ねじ孔７を形成し、その皿ねじ孔７に防水パッキン９を介装した丸皿固定ねじ８を螺入して、締付によりハンドル本体１をハンドル軸２に固定した。【選択図】図１
0003125835.tif 000002
【実用新案登録請求の範囲】
【請求項１】
ハンドル本体の基部に穿設された取付穴にハンドル軸の端部が装入されて前記結合部分に前記ハンドル本体から前記軸部に亘っ形成されたねじ孔に固定ねじを螺締することによりハンドル本体がハンドル軸に固定されたレバーハンドルにおいて、前記ねじ孔が皿ねじ孔で構成されているともに、前記固定ねじが丸皿固定ねじで構成され、且つ前記皿ねじ孔に防水パッキンを介装した丸皿固定ねじが螺入されていることを特徴とするレバーハンドル。
【請求項２】
前記防水パッキンを介装した丸皿固定ねじは、防水パッキンが圧入されて一体の防水パッキン付丸皿固定ねじである請求項１記載のレバーハンドル。
【請求項３】
前記防水パッキンは、前記丸皿固定ねじの頭部裏面に沿って配置される逆円錐台形パッキンである請求項１又は２記載のレバーハンドル。
【請求項４】
前記防水パッキンは、耐熱性と低熱膨張性とを有している請求項１，２または３記載のレバーハンドル。
【考案の詳細な説明】
【技術分野】
【０００１】
本考案は、ドアのレバーハンドル、特に湿気の多い浴室等のドアに用いるレバーハンドルに関するものである。
【背景技術】
【０００２】
従来、この種のレバーハンドルは、図３及び図４に示すように、ハンドル本体２０とハンドル軸２１から構成されている。ハンドル本体２０の基部２２に穿設されたは角穴の取付穴２３にハンドル軸（角芯）２１の端部２４が装入されて。ハンドル本体２０の基部２２とハンドル軸２１の端部２４が結合された結合部分２５には、基部２２と端部２４の両部に亘ってねじ孔２６が形成されている。
【０００３】
そして、結合部分２５に形成されたねじ孔２６に、先端が尖った頭部のない固定ネジ（所謂いもねじ）２７が螺入されて、その締付によってハンドル本体２０がハンドル軸２１に固定されてレバーハンドルが組立てられている。
【０００４】
そのため、前記従来のレバーハンドルは、例えば浴室のドアなどのように湿度が高かったり、水が掛かるような環境において使用されると、固定ねじ２７が螺入されたねじ孔２６上部から水分が浸入し、固定ねじ２７やねじ孔２６が錆びたり腐食して外観や機能が損なわれる問題があった。
【０００５】
また、前記従来のレバーハンドルは固定ねじ２７の安定性を欠くのでねじ孔２６に螺入する際に、固定ねじ２７の尖った先端が横向きになり易く斜めに装入され、また固定ねじ２７のドライバ用溝面は軸体とほぼ同一で工具の係止面も小さいこともあって、ドライバがドライバ用溝から外れてハンドル本体２０の基部２２に傷を付けることがあり、レバーハンドル自体を傷つけてしまうという問題もあった。
【考案の開示】
【考案が解決しようとする課題】
【０００６】
本考案は、上記のような問題点を解決しようとするものであり、レバーハンドルと軸心を結合するために形成されたねじ孔に水分が浸入するのを防止して錆や腐食を解消し、また固定ねじを螺入する際に、ハンドル本体を傷付けることがないレバーハンドルを提供することを課題としている。
【課題を解決するための手段】
【０００７】
前記課題を解決するためになされた本考案に係るレバーハンドルは、ハンドル本体の基部に穿設された取付穴にハンドル軸の端部が装入されて前記結合部分に前記ハンドル本体から前記軸部に亘っ形成されたねじ孔に固定ねじを螺締することによりハンドル本体がハンドル軸に固定されたレバーハンドルにおいて、前記ねじ孔が皿ねじ孔で構成されているともに、前記固定ねじが丸皿固定ねじで構成され、且つ前記皿ねじ孔に防水パッキンを介装した丸皿固定ねじが螺入されていることを特徴とする。
【０００８】
本考案によれば、皿ねじ孔に防水パッキンを介装した丸皿固定ねじが螺入されるので、防水パッキンと丸皿固定ねじによって皿ねじ孔の皿部が封鎖される。即ち、皿ねじ孔の皿部が、弾力性のある防水パッキンと丸皿固定ねじの丸皿頭部によって密封される。そのため、ねじ孔内への水の浸入が防止されて、錆や腐食が解消される。
【０００９】
また、丸皿固定ねじを皿ねじ孔に螺入する際に、その固定ねじが皿ねじ孔の皿部に案内されて垂直に装入される。つまり、固定ねじがレバーハンドルの表面に開口する皿部に沿って案内され、そのま垂直に孔内へと螺進していく。また、前記皿部はねじ孔の直径よりも広く形成された頭部を有する固定ねじを用いることができるのでドライバ等の工具を比較的大きな係止部を有するものを使用することができるので締め付け操作が容易であるばかりか大きな偶力で締め付けられるので確実に装着される。従って、結合作業時にハンドル本体に傷を付けることもなくなる。
【００１０】
更に、丸皿固定ねじを、防水パッキンが圧入された一体の防水パッキン付丸皿固定ねじにすれば、締付の際、丸皿固定ねじに一々、防水パッキンを装着する必要がなくなって、締付操作が簡単になる。
【００１１】
更にまた、防水パッキンを、逆円錐台形のパッキンにすれば、その逆円錐台形パッキンが皿ねじに良好に密着して、防水性に優れたものとなる。殊に、防水パッキンを耐熱性、低熱膨張性を有する素材により形成することにより、例えば乾燥装置を備えた浴室のドアなどに利用したときに耐久性を持たせることができる。
【考案の効果】
【００１２】
以上の手段を有する本考案によれば、浴室のドアのような環境において使用しても水分のねじ孔への浸入を防止して腐食や腐食の心配がなく、また固定ねじを螺入する際に、工具での操作が容易であるばかりか傷付けるのを避けられ、強固に固着させることができる。
【考案を実施するための最良の形態】
【００１３】
以下、図面に示した本考案の実施の形態について、説明する。図１及び図２は本考案の一実施の形態に係るレバーハンドルであり、図１はその分解平面図、図２はその要部を示し、（ａ）は拡大側面図、（ｂ）は（ａ）のＡ−Ａ断面図である。
【００１４】
本実施形態のレバーハンドルは、従来のものと同様に一対のハンドル本体１，１と前記ハンドルを両端にそれぞれ結合するハンドル軸２から構成されている。  
【００１５】
そして、本実施形態ではハンドル本体１は略Ｌ字状形状を有し、その基部３には角穴の取付穴４が穿設されている。ハンドル軸２は角芯からなり、その端部５がハンドル本体１の基部３の取付穴４に装入されている。
【００１６】
また、ハンドル本体１の基部３とハンドル軸端部５の結合部分６には、ハンドル本体１に開口する頂部が皿状になったねじ孔で構成された皿ねじ孔７が、その基部３と端部５の両部に亘って形成されている。皿ねじ孔７は、本実施形態では例えば上部が６ｍｍφの皿孔で、ねじ孔径が４ｍｍφ程度になっているが之に限るものでなく、ハンドル本体１の形状や大きさなどにより適宜選択される。
【００１７】
一方、皿ねじ孔７に螺入される固定ねじは、頭部が丸皿になった丸皿固定ねじ８で構成されている。丸皿固定ねじ８には、逆円錐台状の防水パッキン９が圧入されて一体になっている。従って、ねじの締付の際に、丸皿固定ねじ８にいちいち防水パッキン９を装着する必要がなく、締付操作が簡単になる。
丸皿固定ねじ８は、例えば丸皿頭部の外径が８．５ｍｍφで、ねじ径が４ｍｍφになっている。防水パッキン９は、例えばポリアミド係樹脂やシリコン樹脂のような耐熱性と熱膨張性を有する素材により前記皿ねじ孔７に合わせた形状、例えば外径が６ｍｍφで、内径が４ｍｍφ以下に形成される。
【００１８】
そして、本実施形態では丸皿固定ねじ８に前記防水パッキン９を差し込んで丸皿固定ねじ８の頭部裏面に配置させて一体になった丸皿固定ねじ８を、皿ねじ孔７に螺入することによって、ハンドル本体１とハンドル軸とを固定する。  
【００１９】
丸皿固定ねじ８の締付によりハンドル本体１を固定すると、防水パッキン９が皿ねじ孔７の皿部に密着し、皿ねじ孔７上部を確実に封鎖する。即ち、丸皿固定ねじ８によって弾力性のある防水パッキン９の逆円錐形部が皿ねじ孔７の皿部に入り込みを確実に密封できる。つまり、丸皿固定ねじ８の丸皿頭部と防水パッキン９が、蓋として機能して皿ねじ孔７を封鎖するので、例えば浴室のドア用のように湿気が比較的多い箇所や水が掛かるような箇所において使用されるドア用に利用してもレバーハンドルの結合部分から錆や腐食が解消される。
【００２０】
また、ねじ孔を皿ねじ孔７にすると、丸皿固定ねじ８が皿部に案内されて垂直に装入される。つまり、丸皿固定ねじ８が皿部分によって垂直に呼び込まれ、またドライバ用溝が比較的大きいことから、ドライバが確実に装着されて外れ難くなり、傷を付けなくなる。
【００２１】
上述の実施形態では、防水パッキンが丸皿固定ねじと一体になっているが、独立させて螺入の際に、丸皿固定ねじに取付けるようにしてもよい。この防水パッキンは、前記に例示した素材以外のものでもよく弾力性のあるその他の合成樹脂製やゴムなどのパッキンを用いることができる。
【００２２】
尚、本実施形態では略Ｌ字状形状を有するハンドル本体１を用いたが、例えば丸形など他の形状であってもよいことは言うまでもない。
【図面の簡単な説明】
【００２３】
【図１】本考案の一実施の形態に係るレバーハンドルの分解平面図である。
【図２】図１の要部を示し、（ａ）はその拡大側面図、（ｂ）は（ａ）のＡ−Ａ断面図である。
【図３】従来のレバーハンドルの分解平面図である。
【図４】図３の要部を示し、（ａ）はその拡大側面図、（ｂ）は（ａ）のＢ−Ｂ断面図である。
【００２４】
１  ハンドル本体、２  ハンドル軸、３  基部、４  取付穴、５  端部、６結合部分、７  皿ねじ孔、８  丸皿固定ねじ、９  防水パッキン
【図１】
0003125835.tif 000003
【図２】
0003125835.tif 000004
【図３】
0003125835.tif 000005
【図４】
0003125835.tif 000006